(57)【要約】【課題】例えばテープカセットがテープ印刷装置に装着された状態で、テープカセットに設けられたＲＦＩＤタグの位置をより安定させることができるテープカセットを提供する【解決手段】テープカセット３０は、カセットケースと、第一テープロール５７１と、第一テープロール５７１よりもロール径が小さい第二テープロール５７２と、ＲＦＩＤタグ３５０とを備える。フィルムテープ５９及び両面粘着テープ５８の何れかにキャラクタが印刷される。ＲＦＩＤタグ３５０の少なくとも一部は、第一テープロール５７１の少なくとも一部と、第一テープロール５７１の巻回中心ＡＸ１が延びる方向に重複する。【選択図】図４
2020146972.tif 000002
【特許請求の範囲】
【請求項１】
少なくとも上壁及び下壁を有するカセットケースと、
前記カセットケース内において前記上壁及び前記下壁の間で支持され、第一テープが巻回された第一テープロールと、
前記カセットケース内において前記上壁及び前記下壁の間で支持され、前記第一テープが貼り付けられる第二テープが巻回された、前記第一テープロールよりもロール径が小さい第二テープロールと、
前記上壁及び前記下壁の何れかに設けられた、無線通信でデータの読取り及び書込みが可能な、アンテナ及び記憶素子を少なくとも含むＲＦＩＤタグと
を備え、
前記第一テープ及び前記第二テープの何れかにキャラクタが印刷され、
前記ＲＦＩＤタグの少なくとも一部は、前記第一テープロールの少なくとも一部と、前記第一テープロールの巻回中心が延びる所定方向に重複する
ことを特徴とするテープカセット。
【請求項２】
少なくとも上壁及び下壁を有するカセットケースと、
前記カセットケース内において前記上壁及び前記下壁の間で支持され、キャラクタが印刷される第一テープが巻回された第一テープロールと、
前記上壁及び前記下壁の何れかに設けられた、無線通信でデータの読取り及び書込みが可能な、アンテナ及び記憶素子を少なくとも含むＲＦＩＤタグと
を備え、
前記第一テープロールから引き出された前記第一テープは、他のテープが貼り合わせられることなく、前記カセットケースから排出され、
前記ＲＦＩＤタグの少なくとも一部は、前記第一テープロールの少なくとも一部と、前記第一テープロールの巻回中心が延びる所定方向に重複する
ことを特徴とするテープカセット。
【請求項３】
少なくとも上壁及び下壁を有するカセットケースと、
前記カセットケース内において前記上壁及び前記下壁の間で支持され、キャラクタが印刷される第一テープが巻回された第一テープロールと、
前記上壁及び前記下壁の何れかに設けられた、無線通信でデータの読取り及び書込みが可能な、アンテナ及び記憶素子を少なくとも含むＲＦＩＤタグと
を備え、
前記ＲＦＩＤタグには孔が設けられ、前記孔の少なくとも一部は、前記第一テープロールの少なくとも一部と、前記第一テープロールの巻回中心が延びる所定方向に重複する
ことを特徴とするテープカセット。
【請求項４】
前記カセットケース内において前記上壁及び前記下壁の間で支持され、インクリボンが巻回されたリボンロールと、
前記リボンロールが前記インクリボンを供給する正転方向とは反対の逆転方向に回転することを妨げる負荷を、前記リボンロールに与える金属製のクラッチと
を備え、
前記所定方向は、前記カセットケースの前後方向及び左右方向に直交する上下方向と平行であり、
前記カセットケースは、前記上下方向及び前記前後方向と平行に延び且つ前記カセットケースにおける前記左右方向の中心を通る第一仮想面と、前記上下方向及び前記左右方向と平行に延び且つ前記カセットケースにおける前記前後方向の中心を通る第二仮想面とによって、前記カセットケースを仕切った四つの分割領域を含み、
前記クラッチは、前記四つの分割領域のうちの一つである第一領域に設けられ、
前記ＲＦＩＤタグは、前記四つの分割領域のうちで前記第一領域とは異なる第二領域に設けられる
ことを特徴とする請求項１から３の何れかに記載のテープカセット。
【請求項５】
前記第二領域は、前記四つの分割領域のうちで、前記第一領域の対角に位置することを特徴とする請求項４に記載のテープカセット。
【請求項６】
前記カセットケース内において前記上壁及び前記下壁の間で支持され、インクリボンが巻回されたリボンロールを備え、
前記所定方向は、前記カセットケースの上下方向と平行であり、
前記ＲＦＩＤタグの少なくとも一部は、前記上下方向と平行に延び且つ前記第一テープロールの巻回中心と前記リボンロールの巻回中心と結ぶ第三仮想面と交差する位置に設けられる
ことを特徴とする請求項１から５の何れかに記載のテープカセット。
【請求項７】
前記カセットケース内において前記上壁及び前記下壁の間で支持され、未使用の前記インクリボンが巻回された供給リボンロールと、
前記カセットケース内において前記上壁及び前記下壁の間で支持され、前記供給リボンロールから引き出された前記インクリボンが巻回された巻取リボンロールと
を備え、
前記リボンロールは、前記供給リボンロール及び前記巻取リボンロールの何れかである
ことを特徴とする請求項６に記載のテープカセット。
【請求項８】
前記第一テープロールと前記ＲＦＩＤタグとの間に設けられた非磁性体であるシールド部材を備えたことを特徴とする請求項１から７の何れかに記載のテープカセット。
【請求項９】
前記ＲＦＩＤタグは、前記下壁のうちで前記カセットケースの外側を向く外面に配置され、且つ前記下壁の外面の一部が上方向に凹んだ凹部の内側に配置されることを特徴とする請求項１から８の何れかに記載のテープカセット。
【請求項１０】
前記ＲＦＩＤタグは、前記下壁のうちで前記カセットケースの内側を向く内面に配置され、且つ前記下壁の内面のうちで前記第一テープロールと対向する位置に配置されることを特徴とする請求項１から８の何れかに記載のテープカセット。
【請求項１１】
前記カセットケースは、前記テープカセットがテープ印刷装置に装着された場合に、前記テープ印刷装置の印刷ヘッドが挿入されるヘッド開口を有し、
前記所定方向は、前記カセットケースの前後方向及び左右方向に直交する上下方向と平行であり、
前記ヘッド開口は、前記上下方向及び前記左右方向と平行に延び且つ前記カセットケースにおける前記前後方向の中心を通る仮想面によって、前記カセットケースを仕切った二つの分割領域の一方に設けられ、
前記ＲＦＩＤタグは、前記二つの分割領域の他方に設けられる
ことを特徴とする請求項１から１０の何れかに記載のテープカセット。
【請求項１２】
前記カセットケースは、前記第一テープが排出される部位であって、前記テープカセットがテープ印刷装置に装着された場合に、前記テープ印刷装置のカッタの近傍に配置されるテープ排出部を有し、
前記所定方向は、前記カセットケースの前後方向及び左右方向に直交する上下方向と平行であり、
前記テープ排出部は、前記上下方向及び前記左右方向と平行に延び且つ前記カセットケースにおける前記前後方向の中心を通る仮想面によって、前記カセットケースを仕切った二つの分割領域の一方に設けられ、
前記ＲＦＩＤタグは、前記二つの分割領域の他方に設けられる
ことを特徴とする請求項１から１１の何れかに記載のテープカセット。
【発明の詳細な説明】
【技術分野】
【０００１】
本発明は、テープカセットに関する。
【背景技術】
【０００２】
従来、データを記憶可能な記憶素子が設けられたテープカセットが知られている。例えば特許文献１は、無線回路記憶素子をケースの外周側壁面に設けたテープカセット（同文献の図４〜図６等参照）や、無線回路記憶素子をケースの底面部に設けたテープカセット（同文献の図８０〜図８２等参照）を開示する。テープ印刷装置は、テープカセットがテープ印刷装置に装着された状態で、無線回路記憶素子に対して無線通信でデータの読取り及び書込みを行うためのアンテナを備える。
【先行技術文献】
【特許文献】
【０００３】
【特許文献１】国際公開第２００６／０３３３９３号
【発明の概要】
【発明が解決しようとする課題】
【０００４】
例えば、所謂ラミネートタイプのテープカセットでは、印刷に用いられるインクリボン、キャラクタが印刷されるフィルムテープ、印刷済みのフィルムテープに貼り付けられる粘着テープ等が、カセットケース内に収容される。ラミネートタイプのテープカセットにおいて最も重量が大きい部材は、粘着テープが巻回された粘着テープロールである。換言すると、ラミネートタイプのテープカセットの重心は、粘着テープロールの位置と略等しい。
【０００５】
テープカセットがテープ印刷装置に装着された状態では、テープカセットの重心から遠く離れた部位ほど姿勢が不安定になりやすい。特許文献１のテープカセットでは、無線回路記憶素子が粘着テープロールから相対的に遠く離れた位置に設けられている。そのため、テープカセットがテープ印刷装置に装着された状態において、無線回路記憶素子の位置が不安定になりやすい。無線回路記憶素子の位置が不安定になると、無線回路記憶素子がテープ印刷装置のアンテナと適正な位置関係を維持できず、無線回路記憶素子とアンテナとの間で通信不良が生じるおそれがある。
【０００６】
上記の通信不良を抑制するために、テープ印刷装置に装着されたテープカセットを開閉カバーで押さえることで、テープカセットの姿勢を安定させることが考えられる。しかしながら、開閉カバーが開かれた状態であっても、テープカセットの無線回路記憶素子とテープ印刷装置のアンテナとの間で無線通信を行う必要性が生じる場合がある。また、テープカセットを開閉カバーで押さえた場合でも、例えばテープカセットが傾いた姿勢でテープ印刷装置に装着されると、テープカセットを適正な姿勢で保持できないおそれがある。
【０００７】
本発明の目的は、例えばテープカセットがテープ印刷装置に装着された状態で、テープカセットに設けられたＲＦＩＤタグの位置をより安定させることができるテープカセットを提供することである。
【課題を解決するための手段】
【０００８】
本発明の第一態様に係るテープカセットは、少なくとも上壁及び下壁を有するカセットケースと、前記カセットケース内において前記上壁及び前記下壁の間で支持され、第一テープが巻回された第一テープロールと、前記カセットケース内において前記上壁及び前記下壁の間で支持され、前記第一テープが貼り付けられる第二テープが巻回された、前記第一テープロールよりもロール径が小さい第二テープロールと、前記上壁及び前記下壁の何れかに設けられた、無線通信でデータの読取り及び書込みが可能な、アンテナ及び記憶素子を少なくとも含むＲＦＩＤタグとを備え、前記第一テープ及び前記第二テープの何れかにキャラクタが印刷され、前記ＲＦＩＤタグの少なくとも一部は、前記第一テープロールの少なくとも一部と、前記第一テープロールの巻回中心が延びる所定方向に重複することを特徴とする。
【０００９】
本発明の第二態様に係るテープカセットは、少なくとも上壁及び下壁を有するカセットケースと、前記カセットケース内において前記上壁及び前記下壁の間で支持され、キャラクタが印刷される第一テープが巻回された第一テープロールと、前記上壁及び前記下壁の何れかに設けられた、無線通信でデータの読取り及び書込みが可能な、アンテナ及び記憶素子を少なくとも含むＲＦＩＤタグとを備え、前記第一テープロールから引き出された前記第一テープは、他のテープが貼り合わせられることなく、前記カセットケースから排出され、前記ＲＦＩＤタグの少なくとも一部は、前記第一テープロールの少なくとも一部と、前記第一テープロールの巻回中心が延びる所定方向に重複することを特徴とする。
【００１０】
本発明の第三態様に係るテープカセットは、少なくとも上壁及び下壁を有するカセットケースと、前記カセットケース内において前記上壁及び前記下壁の間で支持され、キャラクタが印刷される第一テープが巻回された第一テープロールと、前記上壁及び前記下壁の何れかに設けられた、無線通信でデータの読取り及び書込みが可能な、アンテナ及び記憶素子を少なくとも含むＲＦＩＤタグとを備え、前記ＲＦＩＤタグには孔が設けられ、前記孔の少なくとも一部は、前記スプールの少なくとも一部と、前記第一テープロールの巻回中心が延びる所定方向に重複することを特徴とする。
【００１１】
本発明の第一〜第三態様に係るテープカセットによれば、例えばテープカセットがテープ印刷装置に装着された状態で、テープカセットに設けられたＲＦＩＤタグの位置をより安定させることができる。
【図面の簡単な説明】
【００１２】
【図１】カセットカバー６が開かれた状態にあるテープ印刷装置１の斜視図である。
【図２】テープカセット３０及びカセット装着部８を説明するための斜視図である。
【図３】テープカセット３０が装着されたカセット装着部８の平面図である。
【図４】上ケース３１１を取り除いたテープカセット３０の平面図である。
【図５】テープカセット３０の底面図である。
【図６】図５のＩ−Ｉ線矢視方向断面図である。
【図７】上ケース３１１を取り除いた、第一変形例に係るテープカセット３０Ａの平面図である。
【図８】第一変形例に係るテープカセット３０Ａの底面図である。
【図９】第二変形例に係るテープカセット３０ＢのＩ−Ｉ線矢視方向断面図である。
【図１０】第三変形例に係るテープカセット３０ＣのＩ−Ｉ線矢視方向断面図である。
【図１１】第四変形例に係るテープカセット３０ＤのＩ−Ｉ線矢視方向断面図である。
【図１２】第五変形例に係るテープカセット３０Ｅの斜視図である。
【図１３】第五変形例に係るテープカセット３０Ｅの底面図である。
【図１４】第六変形例に係るテープカセット３０Ｆの平面図である。
【発明を実施するための形態】
【００１３】
本発明の実施形態について、図面を参照して説明する。参照する図面は、本発明が採用しうる技術的特徴を説明するために用いられるものであり、記載される装置の構成などは、それのみに限定する趣旨ではなく、単なる説明例である。本実施形態の説明では、図１の左下側、右上側、右下側、左上側、上側、下側を、それぞれテープ印刷装置１の前側、後側、右側、左側、上側、下側とする。図２の右下側、左上側、右上側、左下側、上側、下側を、それぞれテープカセット３０の前側、後側、右側、左側、上側、下側とする。
【００１４】
図１〜図３を参照して、テープ印刷装置１を説明する。説明の便宜上、図２及び図３では、カセット装着部８の周囲を形成する側壁が図示されている。図２に図示するギヤ９１、９３、９４、９７、９８、１０１を含むギヤ群は、実際にはキャビティ８１１の底面により覆い隠されている。本実施形態のテープ印刷装置１は、１台でサーマルタイプ、レセプタタイプ、ラミネートタイプ等、各種のテープカセットを使用可能な汎用のテープ印刷装置である。サーマルタイプのテープカセットは、感熱紙テープを備える。レセプタタイプのテープカセットは、印刷テープとインクリボンとを備える。ラミネートタイプのテープカセットは、両面粘着テープとフィルムテープとインクリボンとを備える。
【００１５】
図１に示すように、テープ印刷装置１は、略直方体形状の本体カバー２を備える。本体カバー２上面の前部には、キーボード３が配設される。キーボード３の後側には、ディスプレイ５が設けられる。ディスプレイ５の後側には、テープカセット３０（図２参照）の交換時に開閉されるカセットカバー６が設けられる。本体カバー２の内部には、テープカセット３０を着脱可能な領域であるカセット装着部８が設けられている。本体カバー２の左側面後方には、排出スリット１１１が設けられる。印刷済みのテープは、排出スリット１１１を介してカセット装着部８から排出される。
【００１６】
図１及び図２に示すように、カセット装着部８は、キャビティ８１１及び角支持部８１２を含む。キャビティ８１１は、カセットケース３１の底面３０２の形状と略対応するように凹設された、平面状の底面を有する凹部である。角支持部８１２は、キャビティ８１１の外縁から水平に延びる平面部である。角支持部８１２は、カセット装着部８に装着されたテープカセット３０の周縁の下面を支持する。カセット装着部８の前部には、金属製のヘッドホルダ７４が設けられる。ヘッドホルダ７４は、発熱体（図示せず）を備えるサーマルヘッド１０を搭載する。テープカセット３０がカセット装着部８に装着された場合、ヘッドホルダ７４はヘッド開口３９に挿入される。
【００１７】
カセット装着部８の外側には、テープ駆動モータ２３が配設される。テープ駆動モータ２３の駆動軸の下端には、ギヤ９１が固着される。ギヤ９１はギヤ９３に噛み合う。ギヤ９３はギヤ９４に噛み合う。ギヤ９４はギヤ９７に噛み合う。ギヤ９７はギヤ９８に噛み合う。ギヤ９８はギヤ１０１に噛み合う。ギヤ９４の上面には、リボン巻取軸９５が立設される。リボン巻取軸９５は、リボン巻取スプール４３に着脱可能な軸体である。ギヤ１０１の上面には、テープ駆動軸１００が立設される。テープ駆動軸１００は、テープ駆動ローラ４６の孔部４６１に着脱可能な軸体である。
【００１８】
テープカセット３０がカセット装着部８に装着された状態で、テープ駆動モータ２３が反時計回り方向にギヤ９１を回転駆動すると、ギヤ９３、ギヤ９４を介して、リボン巻取軸９５が反時計回り方向に回転駆動する。リボン巻取軸９５は、リボン巻取軸９５に装着されたリボン巻取スプール４３を回転駆動する。更にギヤ９４の回転は、ギヤ９７、ギヤ９８、ギヤ１０１を介してテープ駆動軸１００に伝達されて、テープ駆動軸１００が時計回り方向に回転駆動する。テープ駆動軸１００は、テープ駆動軸１００に装着されたテープ駆動ローラ４６を回転駆動する。
【００１９】
図３に示すように、ヘッドホルダ７４の前側には、アーム状のプラテンホルダ１２が設けられる。プラテンホルダ１２は、軸支部１２１を中心に揺動可能に軸支される。プラテンホルダ１２の先端側には、プラテンローラ１５及び可動搬送ローラ１４が回転可能に軸支される。プラテンローラ１５は、サーマルヘッド１０に対向して、サーマルヘッド１０と接離可能である。可動搬送ローラ１４は、テープ駆動軸１００に装着されているテープ駆動ローラ４６に対向して、テープ駆動ローラ４６と接離可能である。
【００２０】
プラテンホルダ１２には、カセットカバー６の開閉に連動して左右方向に移動するリリースレバー（図示外）が連結される。カセットカバー６が開放されると、リリースレバーが右方向に移動して、プラテンホルダ１２が図３に示す待機位置に向けて移動する。図３に示す待機位置では、プラテンホルダ１２がカセット装着部８から離隔するので、ユーザがテープカセット３０をカセット装着部８に対して着脱可能である。
【００２１】
カセットカバー６が閉鎖されると、リリースレバーが左方向に移動して、プラテンホルダ１２が印刷位置（図示せず）に向けて後方向に移動する。印刷位置では、プラテンホルダ１２がカセット装着部８に近接する。テープカセット３０がカセット装着部８に装着されている場合、プラテンローラ１５がテープを介してサーマルヘッド１０を押圧する。同時に、可動搬送ローラ１４がテープを介してテープ駆動ローラ４６を押圧する。印刷位置では、テープ印刷装置１がカセット装着部８に装着されているテープカセット３０を使用して印刷を行うことが可能である。
【００２２】
排出スリット１１１（図１参照）の右側には、カット機構１７が設けられる。カット機構１７は、テープカセットから排出されたテープを所定位置でカットする。カット機構１７は、金属製の固定刃１８及び移動刃１９を有する。移動刃１９は、固定刃１８に対向して、前後方向（図３の上下方向）に移動可能である。
【００２３】
テープ印刷装置１は、ＲＦＩＤ（Ｒａｄｉｏ ｆｒｅｑｕｅｎｃｙ ｉｄｅｎｔｉｆｉｃａｔｉｏｎ）タグに対するデータの読取り及び書込みを近距離無線通信で実行可能なＲＦＩＤリーダライタ２００を備える。ＲＦＩＤリーダライタ２００は、公知のＲＦＩＤリーダライタと同様の構成であり、アンテナ２０１とリーダライタＩＣ（図示外）とを備える。図１及び図２に示すように、アンテナ２０１は、キャビティ８１１の底面に設けられる。アンテナ２０１は、カセット装着部８に装着されたテープカセット３０のＲＦＩＤタグ３５０（図４〜図６参照）と上下方向に対向する位置に設けられる。
【００２４】
図２及び図３を参照して、テープカセット３０の概略構成を説明する。テープカセット３０は、内部に収納されるテープの種類を適宜変更することによって、サーマルタイプ、ラミネートタイプ、レセプタタイプ等に実装可能な汎用カセットである。本実施形態では、ラミネートタイプのテープカセット３０を例示する。
【００２５】
図２に示すように、テープカセット３０は、その筐体であるカセットケース３１を備えている。カセットケース３１は、全体としては平面視で丸みを帯びた角部を有する略長方体状（箱型）である。カセットケース３１は、上ケース３１１と下ケース３１２とを含む。下ケース３１２は、カセットケース３１の底面３０２を有する下壁３０６を含む。上ケース３１１は、カセットケース３１の上面３０１を有する上壁３０５を含む。上ケース３１１は、下ケース３１２の上部に固定される。
【００２６】
カセットケース３１には、カセットケース３１内に装着されるローラやスプールを回転可能に支持する５つの支持部を有する。以下の説明では、カセットケース３１の左側前部に設けられた支持部を、ローラ支持部６４という。カセットケース３１の左側後部、右側後部、右側前部に設けられた支持部を、それぞれ、第一テープ支持部６５、第二テープ支持部６６、リボン支持部６７という。平面視で第一テープ支持部６５とリボン支持部６７との間に設けられた支持部を、巻取スプール支持部６８という。
【００２７】
ローラ支持部６４は、テープ駆動ローラ４６（図３参照）を回転可能に支持する。第一テープ支持部６５は、第一テープスプール４０（図３参照）を回転可能に支持する。第二テープ支持部６６は、第二テープスプール４１（図３参照）を回転可能に支持する。リボン支持部６７は、リボン供給スプール４２（図３参照）を回転可能に支持する。巻取スプール支持部６８は、リボン巻取スプール４３（図３参照）を回転可能に支持する。
【００２８】
カセットケース３１の前壁３２は、アーム前面壁３５を含む。アーム前面壁３５は、カセットケース３１の前端における左右方向中央を跨いで、左右方向に延びる。アーム前面壁３５から後方へ離隔した位置には、カセットケース３１の上下方向に亘って延びるアーム背面壁３７が設けられる。アーム前面壁３５とアーム背面壁３７とで前後に規定される、テープカセット３０の右前部から左方に延びる部位は、アーム部３４である。アーム部３４の左端部には、排出口３４１が設けられる。排出口３４１は、アーム前面壁３５とアーム背面壁３７との間で上下方向に延びる隙間である。
【００２９】
アーム背面壁３７の右端部から後方に延び、且つ、アーム背面壁３７と平行に延びる周壁は、ヘッド周壁３６である。アーム背面壁３７とヘッド周壁３６とによって規定される、テープカセット３０を上下方向に貫通する平面視略長方形状の空間は、ヘッド開口３９である。ヘッド開口３９は、アーム部３４の後側に隣接し、下壁３０６と上壁３０５とを上下方向に貫通している。ヘッド開口３９は、カセットケース３１の左右方向中心を跨いで左右方向に延びる。ヘッド開口３９の左部は、露出部７７を介して、テープカセット３０の前側に露出する。ヘッド開口３９には、サーマルヘッド１０を支持するヘッドホルダ７４が挿入される。
【００３０】
図３に示すように、カセットケース３１内には、両面粘着テープ５８、フィルムテープ５９、及びインクリボン６０が収納される。フィルムテープ５９は、インクリボン６０を用いてキャラクタが印刷される透明なテープである。両面粘着テープ５８は、両面に粘着層が形成され且つ一面に剥離紙が貼着されたテープであり、フィルムテープ５９の印刷面に貼り合わされる。両面粘着テープ５８、フィルムテープ５９、及びインクリボン６０は、夫々の幅方向がカセットケース３１の上下方向と平行となるように、夫々の搬送経路上を搬送される。
【００３１】
カセットケース３１内には、テープを収納可能な領域である第一テープ領域４００及び第二テープ領域４１０が設けられる。第一テープ領域４００は、カセットケース３１内の左側後部に設けられた、平面視略円形の領域である。本実施形態では、第一テープロール５７１が第一テープ領域４００に収容される。第一テープロール５７１では、第一テープ支持部６５によって支持された第一テープスプール４０を中心として、両面粘着テープ５８がその剥離紙を外側に向けて巻回される。
【００３２】
第二テープ領域４１０は、カセットケース３１内の右側後部に設けられた、平面視略円形の領域である。本実施形態では、第二テープロール５７２が第二テープ領域４１０に収容される。第二テープロール５７２では、第二テープ支持部６６によって支持された第二テープスプール４１を中心として、フィルムテープ５９が巻回される。
【００３３】
カセットケース３１内の右側前部には、供給リボンロール５７３が収容される。供給リボンロール５７３では、リボン支持部６７によって支持されたリボン供給スプール４２を中心として、インクリボン６０が巻回される。カセットケース３１内のうち、第一テープ領域４００、第二テープ領域４１０、リボン供給スプール４２、及びヘッド開口３９に囲まれた領域には、巻取リボンロール５７４が収容される。巻取リボンロール５７４では、巻取スプール支持部６８によって支持されたリボン巻取スプール４３を中心として、インクリボン６０が巻回される。
【００３４】
上述した第一テープロール５７１、第二テープロール５７２、供給リボンロール５７３、及び巻取リボンロール５７４は、各々の回転中心（即ち、巻回中心）が上下方向に延びる状態で、カセットケース３１内において上壁３０５及び下壁３０６の間で支持される。第二テープロール５７２のロール径は、第一テープロール５７１のロール径よりも小さい。本実施形態のロール径は、各ロールの回転中心（即ち、巻回中心）を基準とした、上下方向と直交する径方向の長さである。
【００３５】
テープカセット３０は、金属製のクラッチ３３０、３４０を有する。クラッチ３３０は、供給リボンロール５７３がインクリボン６０を供給する正転方向とは反対の逆転方向に回転することを妨げる負荷を、供給リボンロール５７３に与える。クラッチ３４０は、巻取リボンロール５７４がインクリボン６０を巻取る正転方向とは反対の逆転方向に回転することを妨げる負荷を、巻取リボンロール５７４に与える。本実施形態では、クラッチ３３０は、リボン供給スプール４２の下部に設けられた、リボン供給スプール４２の逆転を抑制するコイルバネである。クラッチ３４０は、リボン巻取スプール４３の下部に設けられた、リボン巻取スプール４３の逆転を抑制するコイルバネである。
【００３６】
ヘッド開口３９の左側には、分離部６１が設けられる。分離部６１は、露出部７７の左側（つまり、テープ搬送方向下流側）で、フィルムテープ５９とインクリボン６０とを分離する部位である。分離部６１の左側には、ローラ支持部６４によって支持されたテープ駆動ローラ４６が設けられる。テープ駆動ローラ４６の外周面の一部である前面は、カセットケース３１の外部に露出する。テープ駆動ローラ４６の左側には、印刷済テープ５０をテープカセット３０の外部に排出するためのテープ排出部４９が設けられる。テープ排出部４９は、テープカセット３０がテープ印刷装置１に装着された場合に、カット機構１７の近傍に配置される。
【００３７】
図４〜図６を参照して、ＲＦＩＤタグ３５０の詳細を説明する。本実施形態のテープカセット３０では、無線通信でデータの読取り及び書込みが可能なＲＦＩＤタグ３５０が、下壁３０６に設けられる。ＲＦＩＤタグ３５０の少なくとも一部は、第一テープロール５７１の少なくとも一部と、第一テープロール５７１の巻回中心ＡＸ１が延びる方向（本実施形態では上下方向）に重複する。巻回中心ＡＸ１は、第一テープロール５７１の平面視中心を通り、且つ上下方向に延びる仮想直線として表される。
【００３８】
詳細には、ＲＦＩＤタグ３５０は、シール基材３５１、記憶素子３５２、及びアンテナ３５３を有する。シール基材３５１は、表面に記憶素子３５２及びアンテナ３５３が配設され、且つ裏面に粘着層が形成された、円形のフィルムシートである。記憶素子３５２は、高周波回路、メモリ、電源回路を備えたＩＣチップであり、シール基材３５１の平面中心に配置される。例えばメモリには、テープカセット３０の識別番号、テープ種別、テープ幅、印刷色等を示すデータが記憶される。アンテナ３５３は、シール基材３５１上において記憶素子３５２を中心に巻回されたコイル状のアンテナである。ＲＦＩＤタグ３５０は、平面視で第一テープ領域４００よりも小さい。本実施形態のＲＦＩＤタグ３５０は、パッシブ型ＲＦＩＤタグであるが、アクティブ型ＲＦＩＤタグでもよい。
【００３９】
下壁３０６には、第一テープロール５７１の下方に位置するタグ取付部３０６Ａが形成される。タグ取付部３０６Ａは、底面３０２の一部が上方向に凹んだ凹部であり、且つＲＦＩＤタグ３５０に対応する大きさの円形状である。図６に示すように、タグ取付部３０６Ａの内側には、ＲＦＩＤタグ３５０及びシールド部材３６０が配置される。シールド部材３６０は、公知の電磁遮蔽材で形成された、ＲＦＩＤタグ３５０に対応する大きさの円形状シートである。シールド部材３６０は、タグ取付部３０６Ａ内の天面に接着される。シールド部材３６０の下面に、ＲＦＩＤタグ３５０が接着される。即ちシールド部材３６０は、第一テープロール５７１とＲＦＩＤタグ３５０との間に設けられた非磁性体である。
【００４０】
このようにＲＦＩＤタグ３５０は、下壁３０６のうちでカセットケース３１の外側を向く外面（底面３０２）に配置され、且つ底面３０２の一部が上方向に凹んだタグ取付部３０６Ａの内側に配置される。シールド部材３６０とＲＦＩＤタグ３５０を重ねた厚みは、タグ取付部３０６Ａの深さよりも小さい。従ってＲＦＩＤタグ３５０は、タグ取付部３０６Ａの外側に突出することなく、タグ取付部３０６Ａの内側に保持される。なお、タグ取付部３０６Ａに配置されたＲＦＩＤタグ３５０の中心部（即ち、記憶素子３５２）は、平面視で第一テープロール５７１の巻回中心ＡＸ１の後方にある。
【００４１】
図４及び図５に示すように、カセットケース３１は、カセットケース３１を第一仮想面Ｃ１と第二仮想面Ｃ２とによって仕切った四つの分割領域Ｒ１〜Ｒ４を含む。第一仮想面Ｃ１は、上下方向及び前後方向と平行に延び、且つカセットケース３１における左右方向の中心を通る。第二仮想面Ｃ２は、上下方向及び左右方向と平行に延び、且つカセットケース３１における前後方向の中心を通る。第一仮想面Ｃ１と第二仮想面Ｃ２との交線は、テープカセット３０の平面中心を通って上下方向に延びる仮想的な中心線Ｃである。
【００４２】
分割領域Ｒ１は、カセットケース３１のうちで中心線Ｃの左後側にある領域である。分割領域Ｒ２は、カセットケース３１のうちで中心線Ｃの右後側にある領域である。分割領域Ｒ３は、カセットケース３１のうちで中心線Ｃの右前側にある領域である。分割領域Ｒ４は、カセットケース３１のうちで中心線Ｃの左前側にある領域である。本実施形態では、クラッチ３３０、３４０が分割領域Ｒ２、Ｒ３に設けられるのに対し、ＲＦＩＤタグ３５０の全体が分割領域Ｒ２、Ｒ３とは異なる分割領域Ｒ１に設けられる。詳細には、分割領域Ｒ１は、四つの分割領域Ｒ１〜Ｒ４のうちで分割領域Ｒ３の対角に位置する領域である。
【００４３】
カセットケース３１は、カセットケース３１を第二仮想面Ｃ２によって仕切った二つの分割領域として、分割領域Ｒ１、Ｒ２を合わせた前側領域と、分割領域Ｒ３、Ｒ４を合わせた後側領域とを含む。ヘッド開口３９は、第二仮想面Ｃ２によってカセットケース３１を仕切った二つの分割領域の一方（前側領域）に設けられる。ＲＦＩＤタグ３５０は、これら二つの分割領域の他方（後側領域）に設けられる。なおテープ排出部４９も、これら二つの分割領域の他方（後側領域）に設けられる。
【００４４】
ＲＦＩＤタグ３５０の少なくとも一部は、仮想面Ｖ１及び仮想面Ｖ２と交差する位置に設けられる。仮想面Ｖ１は、第一テープロール５７１の巻回中心ＡＸ１と供給リボンロール５７３の巻回中心ＡＸ２と結ぶ、上下方向に延びる仮想面である。巻回中心ＡＸ２は、供給リボンロール５７３の平面視中心を通り、且つ上下方向に延びる仮想直線として表される。仮想面Ｖ２は、第一テープロール５７１の巻回中心ＡＸ１と巻取リボンロール５７４の巻回中心ＡＸ３と結ぶ、上下方向に延びる仮想面である。巻回中心ＡＸ３は、巻取リボンロール５７４の平面視中心を通り、且つ上下方向に延びる仮想直線として表される。
【００４５】
図３を参照し、テープ印刷装置１の印刷動作を説明する。ユーザがラミネートタイプのテープカセット３０をカセット装着部８に装着すると、ＲＦＩＤタグ３５０はアンテナ２０１に対して上方から近接する。テープ印刷装置１は、ＲＦＩＤリーダライタ２００を介してＲＦＩＤタグ３５０からデータを読み取る。テープ印刷装置１は、ＲＦＩＤタグ３５０から読み取ったデータ（例えばテープ種類やテープ幅）に応じて、以下の印刷動作を制御可能である。またテープ印刷装置１は、例えばキーボード３から入力されたデータを、ＲＦＩＤリーダライタ２００を介してＲＦＩＤタグ３５０に書込み可能である。
【００４６】
印刷動作が開始されると、テープ駆動ローラ４６及びリボン巻取スプール４３が回転駆動される。テープ駆動ローラ４６と可動搬送ローラ１４との協働によって、第二テープロール５７２からフィルムテープ５９が引き出され、且つ、第一テープロール５７１から両面粘着テープ５８が引き出される。引き出されたフィルムテープ５９は、カセットケース３１の右前隅部に向けて搬送された後、供給リボンロール５７３の外側を通ってアーム部３４内に向けて搬送される。引き出された両面粘着テープ５８は、テープ駆動ローラ４６の前面側に向けて搬送される。リボン巻取スプール４３の回転に伴って、供給リボンロール５７３からインクリボン６０が引き出される。引き出されたインクリボン６０は、アーム部３４内に向けて搬送される。
【００４７】
アーム部３４内を搬送されるフィルムテープ５９及びインクリボン６０は、排出口３４１で互いに重ね合わされて、露出部７７に向けて排出される。露出部７７では、サーマルヘッド１０がフィルムテープ５９と重ね合っているインクリボン６０を使用して、フィルムテープ５９にキャラクタを印刷する。印刷に使用されたインクリボン６０は、分離部６１によってフィルムテープ５９から分離され、リボン案内壁３８に沿って移動した後に、巻取リボンロール５７４に巻き取られる。インクリボン６０が分離されたフィルムテープ５９は、テープ駆動ローラ４６の前面側に搬送される。
【００４８】
フィルムテープ５９及び両面粘着テープ５８は、テープ駆動ローラ４６と可動搬送ローラ１４との間を経由して、テープ排出部４９に向かって搬送される。このとき、両面粘着テープ５８がフィルムテープ５９の印刷面に貼り付けられることで、印刷済テープ５０が得られる。印刷済テープ５０は、テープ排出部４９から外部に排出され、カット機構１７によってカットされる。
【００４９】
以上説明したように、本実施形態のテープカセット３０は、カセットケース３１と、第一テープロール５７１と、第一テープロール５７１よりもロール径が小さい第二テープロール５７２と、ＲＦＩＤタグ３５０とを備える。フィルムテープ５９及び両面粘着テープ５８の何れかにキャラクタが印刷される。ＲＦＩＤタグ３５０の少なくとも一部は、第一テープロール５７１の少なくとも一部と、第一テープロール５７１の巻回中心ＡＸ１が延びる所定方向（上下方向）に重複する。
【００５０】
これによれば、ＲＦＩＤタグ３５０の少なくとも一部は、テープカセット３０の構成部品のうちで最も重量の大きい第一テープロール５７１と所定方向に重複する。これにより、ＲＦＩＤタグ３５０は、テープカセット３０の重心に近い位置に配置される。例えばテープカセット３０がテープ印刷装置１に装着された状態では、テープカセット３０の重心から近い位置ほど姿勢が安定しやすいため、ＲＦＩＤタグ３５０の位置をより安定させることができる。その結果、ＲＦＩＤリーダライタ２００とＲＦＩＤタグ３５０との間で、より良好な無線通信を実現できる。
【００５１】
クラッチ３３０、３４０は分割領域Ｒ２、Ｒ３に設けられるのに対し、ＲＦＩＤタグ３５０は分割領域Ｒ２、Ｒ３とは異なる分割領域Ｒ１に設けられる。これによれば、ＲＦＩＤタグ３５０は、金属製部品であるクラッチ３３０、３４０から相対的に遠い位置に配置される。従って、ＲＦＩＤリーダライタ２００とＲＦＩＤタグ３５０との無線通信が、クラッチ３３０、３４０によって阻害されることを抑制できる。更に分割領域Ｒ１は、四つの分割領域Ｒ１〜Ｒ４のうちで分割領域Ｒ３の対角に位置する領域である。これによれば、クラッチ３３０に対してＲＦＩＤタグ３５０をより遠く離れた位置に配置できるため、クラッチ３３０に起因する無線通信障害をより確実に抑制できる。
【００５２】
ＲＦＩＤタグ３５０の少なくとも一部は、仮想面Ｖ１及び仮想面Ｖ２の少なくとも一つと交差する位置に設けられる。これによれば、リボンロール（供給リボンロール５７３、巻取リボンロール５７４）は相対的に重量が重いため、テープカセット３０の重心は第一テープロール５７１とリボンロールとの間に位置しやすい。従って、ＲＦＩＤタグ３５０の少なくとも一部を仮想面Ｖ１及び仮想面Ｖ２の少なくとも一つと交差する位置に設けることで、ＲＦＩＤタグ３５０をテープカセット３０の重心により近い位置に配置できる。
【００５３】
第一テープロール５７１とＲＦＩＤタグ３５０との間に、非磁性体であるシールド部材３６０が設けられる。これによれば、ＲＦＩＤリーダライタ２００とＲＦＩＤタグ３５０との無線通信に対するテープカセット３０の金属製部品の影響を、シールド部材３６０によって確実に抑制できる。
【００５４】
ＲＦＩＤタグ３５０は、下壁３０６のうちでカセットケース３１の外側を向く底面３０２に配置され、且つ底面３０２の一部が上方向に凹んだタグ取付部３０６Ａの内側に配置される。これによれば、ＲＦＩＤタグ３５０はタグ取付部３０６Ａの外側に突出しないため、例えばテープカセット３０の落下時などに、ＲＦＩＤタグ３５０に歪みが生じることを抑制できる。
【００５５】
ヘッド開口３９は二つの分割領域の一方（前側領域）に設けられるのに対し、ＲＦＩＤタグ３５０は二つの分割領域の他方（後側領域）に設けられる。これによれば、ヘッド開口３９に挿入される金属製のヘッドホルダ７４に対して、ＲＦＩＤタグ３５０をより遠く離れた位置に配置できるため、ヘッドホルダ７４に起因する無線通信障害をより確実に抑制できる。
【００５６】
本発明は、上記実施形態に限定されず、各種変形が可能である。以下、各種変形例に係るテープカセット３０を説明する。以下では、上記実施形態と同一構成については同一符号を付して説明を省略し、変形例に固有の部分を中心に説明する。
【００５７】
図７及び図８を参照して、第一変形例に係るテープカセット３０Ａを説明する。テープカセット３０Ａは、上記実施形態と対比してテープ種類が異なる。図７及び図８に示すように、テープカセット３０Ａはレセプタタイプで実装されており、印刷テープ５５及びインクリボン６０がカセットケース３１内に収納される。具体的には、カセットケース３１内の右側部分に、第一テープスプール４０を中心として印刷テープ５５が巻回された第一テープロール５７１が収容される。本例の印刷テープ５５は、印刷シートの片面に形成された接着層に剥離シートが貼り付けられた複数層のテープである。カセットケース３１内の左側後部には、巻取リボンロール５７４が収容される。カセットケース３１内のうち、第一テープロール５７１、巻取リボンロール５７４、及びヘッド開口３９に囲まれた領域には、供給リボンロール５７３が収容される。
【００５８】
テープカセット３０Ａでは、上記実施形態と同様に、ＲＦＩＤタグ３５０が下壁３０６に設けられる。ＲＦＩＤタグ３５０の少なくとも一部は、第一テープロール５７１の少なくとも一部と、第一テープロール５７１の巻回中心ＡＸ１が延びる方向に重複する。詳細には、第一テープロール５７１の下方に位置するタグ取付部３０６Ａが、下壁３０６に形成される。タグ取付部３０６Ａの内側には、ＲＦＩＤタグ３５０及びシールド部材３６０が配置される（図６参照）。ＲＦＩＤタグ３５０の少なくとも一部は、仮想面Ｖ１及び仮想面Ｖ２と交差する位置に設けられる。
【００５９】
テープカセット３０Ａでは、上記実施形態と異なり、クラッチ３３０、３４０が分割領域Ｒ１、Ｒ４に設けられる。ＲＦＩＤタグ３５０の全体は、分割領域Ｒ１、Ｒ４とは異なる分割領域Ｒ２に設けられる。分割領域Ｒ２は、四つの分割領域Ｒ１〜Ｒ４のうちで分割領域Ｒ４の対角に位置する。カセットケース３１は、カセットケース３１を第一仮想面Ｃ１によって仕切った二つの分割領域として、分割領域Ｒ１、Ｒ４を合わせた左側領域と、分割領域Ｒ２、Ｒ３を合わせた右側領域とを含む。テープ排出部４９は、第一仮想面Ｃ１によってカセットケース３１を仕切った二つの分割領域の一方（左側領域）に設けられる。ＲＦＩＤタグ３５０は、これら二つの分割領域の他方（右側領域）に設けられる。
【００６０】
図示しないが、テープ印刷装置１のカセット装着部８には、テープカセット３０Ａのリボン巻取スプール４３及びＲＦＩＤタグ３５０と対応する位置に、リボン巻取軸９５及びアンテナ２０１が設けられる。レセプタタイプのテープカセット３０Ａがカセット装着部８に装着されると、上記実施形態と同様に、ＲＦＩＤタグ３５０がアンテナ２０１に対して上方から近接し、ＲＦＩＤタグ３５０に対するデータの読み書きが可能となる。印刷動作が開始されると、サーマルヘッド１０はインクリボン６０を使用して、第一テープロール５７１から引き出される印刷テープ５５にキャラクタを印刷する。この印刷テープ５５（印刷済テープ５０）は、テープ排出部４９からカセットケース３１の外部に排出される。
【００６１】
なお、テープカセット３０Ａは、インクリボン６０を設けることなく、且つ印刷テープ５５として感熱紙テープを用いることで、サーマルタイプで実装されてもよい。サーマルタイプのテープカセット３０Ａがカセット装着部８に装着されると、上記と同様にＲＦＩＤタグ３５０に対するデータの読み書きが可能となる。印刷動作が開始されると、サーマルヘッド１０はインクリボン６０を用いることなく、第一テープロール５７１から引き出される印刷テープ５５に感熱印刷する。この印刷テープ５５（印刷済テープ５０）は、テープ排出部４９からカセットケース３１の外部に排出される。
【００６２】
以上説明したように、第一変形例のテープカセット３０は、カセットケース３１と、第一テープロール５７１と、ＲＦＩＤタグ３５０とを備える。第一テープロール５７１から引き出された印刷テープ５５は、他のテープが貼り合わせられることなく、カセットケース３１から排出される。ＲＦＩＤタグ３５０の少なくとも一部は、第一テープロール５７１の少なくとも一部と、第一テープロール５７１の巻回中心ＡＸ１が延びる所定方向（上下方向）に重複する。これによれば、上記実施形態と同様に、ＲＦＩＤタグ３５０の位置をより安定させることができるため、ＲＦＩＤリーダライタ２００とＲＦＩＤタグ３５０との間で、より良好な無線通信を実現できる。
【００６３】
テープ排出部４９は二つの分割領域の一方（左側領域）に設けられるのに対し、ＲＦＩＤタグ３５０は二つの分割領域の他方（右側領域）に設けられる。これによれば、テープ排出部４９の近傍に配置される金属製のカット機構１７に対して、ＲＦＩＤタグ３５０をより遠く離れた位置に配置できるため、カット機構１７に起因する無線通信障害をより確実に抑制できる。
【００６４】
図９〜図１１を参照して、第二〜第四変形例に係るテープカセット３０Ｂ〜３０Ｄを説明する。テープカセット３０Ｂ〜３０Ｄは、上記実施形態と対比してＲＦＩＤタグ３５０の装着位置が異なる。図９に示すように、第二変形例に係るテープカセット３０Ｂでは、ＲＦＩＤタグ３５０が平面視で上記実施形態と同じ位置に設けられる（図４〜図６参照）。ただし、テープカセット３０ＢのＲＦＩＤタグ３５０は、下壁３０６の外面（底面３０２）ではなく、下壁３０６のうちでカセットケース３１の内側を向く内面３０３に配置される。より詳細には、テープカセット３０ＢのＲＦＩＤタグ３５０は、下壁３０６の内面３０３のうちで第一テープロール５７１と対向する位置に配置される。
【００６５】
具体的には、第一テープロール５７１の下方に位置するタグ取付部３０６Ｂが、下壁３０６に形成される。タグ取付部３０６Ｂは、内面３０３の一部が下方向に凹んだ凹部であり、且つＲＦＩＤタグ３５０に対応する大きさの円形状である。タグ取付部３０６Ｂの内側には、ＲＦＩＤタグ３５０及びシールド部材３６０が配置される。ＲＦＩＤタグ３５０は、タグ取付部３０６Ｂ内の底面に接着される。ＲＦＩＤタグ３５０の上面に、シールド部材３６０が接着される。即ちシールド部材３６０は、第一テープロール５７１とＲＦＩＤタグ３５０との間に設けられる。ＲＦＩＤタグ３５０は、タグ取付部３０６Ｂの外側に突出することなく、タグ取付部３０６Ｂの内側に保持される。
【００６６】
上述したように、テープカセット３０ＢのＲＦＩＤタグ３５０は、下壁３０６のうちでカセットケース３１の内側を向く内面３０３に配置され、且つ内面３０３のうちで第一テープロール５７１と対向する位置に配置される。これによれば、ＲＦＩＤタグ３５０はカセットケース３１内（詳細には、タグ取付部３０６Ｂ内）に保持されるため、例えばテープカセット３０の落下時などに、ＲＦＩＤタグ３５０に歪みが生じることを抑制できる。
【００６７】
図１０に示すように、第三変形例に係るテープカセット３０Ｃでは、ＲＦＩＤタグ３５０が平面視で上記実施形態と同じ位置に設けられる（図４〜図６参照）。ただし、テープカセット３０ＣのＲＦＩＤタグ３５０は、下壁３０６の外面（底面３０２）ではなく、上壁３０５のうちでカセットケース３１の外側を向く外面（上面３０１）に配置される。具体的には、第一テープロール５７１の上方に位置するタグ取付部３０５Ａが、上壁３０５に形成される。タグ取付部３０５Ａは、上面３０１の一部が下方向に凹んだ凹部であり、且つＲＦＩＤタグ３５０に対応する大きさの円形状である。
【００６８】
タグ取付部３０５Ａの内側には、ＲＦＩＤタグ３５０及びシールド部材３６０が配置される。シールド部材３６０は、タグ取付部３０５Ａ内の底面に接着される。シールド部材３６０の上面に、ＲＦＩＤタグ３５０が接着される。即ちシールド部材３６０は、第一テープロール５７１とＲＦＩＤタグ３５０との間に設けられる。ＲＦＩＤタグ３５０は、タグ取付部３０５Ａの外側に突出することなく、タグ取付部３０５Ａの内側に保持される。
【００６９】
図１１に示すように、第四変形例に係るテープカセット３０Ｄでは、ＲＦＩＤタグ３５０が平面視で第三変形例と同じ位置に設けられる（図１０参照）。ただし、テープカセット３０ＤのＲＦＩＤタグ３５０は、上壁３０５の外面（上面３０１）ではなく、上壁３０５のうちでカセットケース３１の内側を向く内面３０４に配置される。具体的には、第一テープロール５７１の上方に位置するタグ取付部３０５Ｂが、上壁３０５に形成される。タグ取付部３０５Ｂは、内面３０４の一部が上方向に凹んだ凹部であり、且つＲＦＩＤタグ３５０に対応する大きさの円形状である。
【００７０】
タグ取付部３０５Ｂの内側には、ＲＦＩＤタグ３５０及びシールド部材３６０が配置される。ＲＦＩＤタグ３５０は、タグ取付部３０５Ｂ内の天面に接着される。ＲＦＩＤタグ３５０の下面に、シールド部材３６０が接着される。即ちシールド部材３６０は、第一テープロール５７１とＲＦＩＤタグ３５０との間に設けられる。ＲＦＩＤタグ３５０は、タグ取付部３０５Ｂの外側に突出することなく、タグ取付部３０５Ｂの内側に保持される。
【００７１】
図示しないが、テープカセット３０Ｃ（又はテープカセット３０Ｄ）が使用されるテープ印刷装置１では、アンテナ２０１（図１参照）がカセットカバー６（図１参照）の下面に設けられる。アンテナ２０１は、テープカセット３０Ｃ（又はテープカセット３０Ｄ）のＲＦＩＤタグ３５０と対応する位置に設けられる。テープカセット３０Ｃ（又はテープカセット３０Ｄ）がカセット装着部８に装着された状態でカセットカバー６が閉じられると、アンテナ２０１がＲＦＩＤタグ３５０に対して上方から近接し、ＲＦＩＤタグ３５０に対するデータの読み書きが可能となる。
【００７２】
図１２〜図１４を参照して、第五、第六変形例に係るテープカセット３０Ｅ、３０Ｆを説明する。テープカセット３０Ｅ、３０Ｆは、上記実施形態と対比してカセット全体の外観が異なる。図１２に示すように、第五変形例に係るテープカセット３０Ｅでは、カセットケース３１は左右方向よりも前後方向に長い箱状である。テープカセット３０Ｅは、レセプタタイプで実装されており、印刷テープ５５及びインクリボン６０がカセットケース３１内に収納される。
【００７３】
具体的には、カセットケース３１内の後側部分に、印刷テープ５５が巻回された第一テープロール５７１が収容される。カセットケース３１内の右側前部には、供給リボンロール５７３が収容される。カセットケース３１の左前部には、カセットケース３１を上下方向に貫通するヘッド開口３９が設けられる。ヘッド開口３９の後側に隣接するように、テープ駆動ローラ４６が支持される。カセットケース３１内のうち、第一テープロール５７１、供給リボンロール５７３、及びヘッド開口３９に囲まれた領域には、巻取リボンロール５７４が収容される。
【００７４】
図１３に示すように、テープカセット３０Ｅでは、ＲＦＩＤタグ３７０が下壁３０６に設けられる。テープカセット３０ＥのＲＦＩＤタグ３７０は、上記実施形態のＲＦＩＤタグ３５０（図５参照）と同様に、円形のシール基材３７１、記憶素子３７２、及びアンテナ３７３を有する。ただし、シール基材３７１の平面中心には、シール基材３７１を厚み方向に貫通する孔３７１Ａが形成される。記憶素子３７２は、シール基材３７１上の孔３７１Ａに隣接して設けられる。アンテナ３７３は、シール基材３７１上における記憶素子３７２の外側で、孔３７１Ａを中心に巻回される。
【００７５】
下壁３０６には、第一テープロール５７１の下方に位置するタグ取付部３０６Ａが形成される。タグ取付部３０６Ａは、底面３０２の一部が上方向に凹んだ凹部であり、且つＲＦＩＤタグ３７０に対応する大きさの円形状である。上記実施形態と同様に、タグ取付部３０６Ａの内側には、ＲＦＩＤタグ３７０及びシールド部材３６０が重ねて収容される（図６参照）。第一テープロール５７１の巻回中心ＡＸ１は、タグ取付部３０６Ａに配置されたＲＦＩＤタグ３７０の中心部（即ち、孔３７１Ａ）を通る。即ち、孔３７１Ａの少なくとも一部は、第一テープロール５７１の少なくとも一部と、第一テープロール５７１の巻回中心ＡＸ１が延びる上下方向に重複する。
【００７６】
なお、ＲＦＩＤタグ３７０は、第二変形例（図９参照）で例示したように、下壁３０６の内面３０３に設けられてもよい。ＲＦＩＤタグ３７０は、第三変形例（図１０参照）で例示したように、上壁３０５の外面（上面３０１）に設けられてもよい。例えば、図１４に示す第六変形例のテープカセット３０Ｆでは、ＲＦＩＤタグ３７０が平面視で上記第五変形例と同じ位置に設けられる（図１３参照）。ただし、テープカセット３０ＦのＲＦＩＤタグ３７０は、下壁３０６の外面（底面３０２）ではなく、上面３０１に形成されたタグ取付部３０５Ａに配置される。ＲＦＩＤタグ３７０は、第四変形例（図１１参照）で例示したように、上壁３０５の内面３０３に設けられてもよい。
【００７７】
以上説明したように、第五、第六変形例のテープカセット３０Ｅ、３０Ｆは、カセットケース３１と、第一テープロール５７１と、ＲＦＩＤタグ３７０とを備える。ＲＦＩＤタグ３７０には、孔３７１Ａが設けられる。孔３７１Ａの少なくとも一部は、第一テープロール５７１の少なくとも一部と、第一テープロール５７１の巻回中心ＡＸ１が延びる所定方向（上下方向）に重複する。これによれば、上記実施形態と同様に、ＲＦＩＤタグ３７０の位置をより安定させることができるため、ＲＦＩＤリーダライタ２００とＲＦＩＤタグ３７０との間で、より良好な無線通信を実現できる。
【００７８】
上記実施形態及び変形例において、両面粘着テープ５８及び印刷テープ５５の夫々が、本発明の「第一テープ」に相当する。フィルムテープ５９が本発明の「第二テープ」に相当する。供給リボンロール５７３及び巻取リボンロール５７４の少なくとも一つが、本発明の「リボンロール」に相当する。仮想面Ｖ１、Ｖ２の少なくとも一つが、本発明の「第三仮想面」に相当する。
【００７９】
なお、「第一テープ」は、上述した両面粘着テープ５８や印刷テープ５５に限定されず、各種テープを使用できる。例えば「第一テープ」は、印刷シートの片面に接着層が形成された複数層のテープ（所謂、セパレステープ）、印刷シートの片面に剥離シートが重ね合わされた複数層のテープ（所謂、ステンシルテープ）、単層の布テープ、単層のマグネットテープ、単層のチューブテープ等でもよい。
【符号の説明】
【００８０】
１    テープ印刷装置
１０    サーマルヘッド
１２    プラテンホルダ
３０、３０Ａ、３０Ｂ、３０Ｃ、３０Ｄ、３０Ｅ、３０Ｆ    テープカセット
３１    カセットケース
３９    ヘッド開口
４９    テープ排出部
５５    印刷テープ
５８    両面粘着テープ
５９    フィルムテープ
６０    インクリボン
３０５    上壁
３０６    下壁
３３０、３４０    クラッチ
３５０、３７０    ＲＦＩＤタグ
３５２、３７２    記憶素子
３５３、３７３    アンテナ
３６０    シールド部材
３７１Ａ    孔
５７１    第一テープロール
５７２    第二テープロール
５７３    供給リボンロール
５７４    巻取リボンロール
【図１】
2020146972.tif 000003
【図２】
2020146972.tif 000004
【図３】
2020146972.tif 000005
【図４】
2020146972.tif 000006
【図５】
2020146972.tif 000007
【図６】
2020146972.tif 000008
【図７】
2020146972.tif 000009
【図８】
2020146972.tif 000010
【図９】
2020146972.tif 000011
【図１０】
2020146972.tif 000012
【図１１】
2020146972.tif 000013
【図１２】
2020146972.tif 000014
【図１３】
2020146972.tif 000015
【図１４】
2020146972.tif 000016